【事件の表示】
　特願２００１−１１２０３６「液晶表示装置」拒絶査定不服審判事件〔平成１４年　３月１２日出願公開、特開２００２−　７２１７３〕について、次のとおり審決する。
【結　論】
　本件審判の請求は、成り立たない。
【理　由】
１　本願発明 
　本願は、平成１３年４月１０日（パリ条約による優先権主張日　２０００年８月２１日、韓国）に特許出願したものであって、その請求項に係る発明は、平成１９年８月２０日付けで補正された明細書及び図面の記載からみて、その特許請求の範囲の請求項１ないし請求項４に記載された事項によって特定されるものと認められるところ、請求項１に係る発明は次のとおりのものである。
 　 
「液晶パネルと、
　前記液晶パネルに光を照射するバックライトアッセンブリと、
　前記バックライトアッセンブリと液晶パネルの間に設置されて前記液晶パネルを下で支持するためのパネルガイドと、
　前記バックライトアッセンブリの導光板上に設置され、その一部が前記パネルガイドの下部に位置する光学シートと、
　前記パネルガイドとバックライトアッセンブリの間に設置されて前記パネルガイドとバックライトアッセンブリの間の間隔を維持させることと共に前記液晶パネルの側に流入される熱と異物を遮断するための間隔維持／熱遮断部材と、
　前記バックライトアッセンブリが固定されるメインフレームと、
　前記メインフレームの下に設置される印刷回路ボードと、
　前記メインフレームと前記印刷回路ボードの間に設置され、四角形の帯状で液晶パネル部分を囲む構造を有する第２シリコンパッドと、
　前記印刷回路ボードとボトムケースの間に設置され、四角形の帯状で前記液晶パネル部分を囲む構造を有する第３シリコンパッドと、
　を具備することを特徴とする液晶表示装置。」（以下「本願発明」という。）
 　 
２　刊行物の記載  
（１）原査定の拒絶の理由に引用した、本願優先日前に頒布された刊行物である特開平１１−２４９１１１号公報（以下「引用例１」という。）には、以下の記載がある。
　
　ア「【００１２】図１（ａ）は、本実施形態にかかる液晶表示装置の構造を示す略端面図である。
【００１３】この図に示すように、液晶表示パネル１０は、素子基板１１および対向基板１２を貼り合わせた構造であり、その背面には、蛍光管２１や、導光板２２、拡散板２３、反射板２４などからなるバックライトユニット２０が設けられる。なお、バックライトユニット２０では、均一な面光源を薄い構造で実現するため、蛍光管２１が側面に配置し、拡散板２３が光強度を均一化させるために設けられている。
【００１４】ここで、液晶表示パネル１０は、マトリクス状に画素が配列するものであり、これらの各画素を単純マトリクス型や、アクティブマトリクス型などの方式により駆動して、バックライトユニット２０からの光透過量を制御することで、所望の表示を行うものである。また、液晶表示パネル１０はフレーム３１に収納され、バックライトユニット２０はフレーム３２において固定されている。
【００１５】次に、プリント回路基板４０は、電源電圧や、クロック信号、ビデオ信号などを入力して、液晶表示パネル１０の駆動回路に、電源、データ信号及び制御信号といった駆動制御信号を供給するため、図において、その上面にＩＣや、抵抗、インダクタなどの部品４１を実装するものである。なお、液晶表示パネル１０の駆動回路は、図示は省略するが、素子基板１１あるいは対向基板１２の周辺部においてＣＯＧ（ChipOnGrass）やＴＡＢ（TapeAutomatedBonding）などの技術を用いて実装されたものである。」
　
　イ　「【００１６】
　プリント回路基板４０は、フレーム３３において固定され、また、回路パターンや実装部品４１などがフレーム３２，３３と電気的に接触しないように絶縁シート４５が敷設されている。この絶縁シートは、実装部品の端子とフレームとの間隔が確保され、且つ回路パターンとフレームとが電気的に接触しないようであれば、省略可能である。」
　
　ウ　図１（ａ）から、バックライトユニット２０の導光板２２の表面側に拡散板２３が設けられ、背面側に反射板２４が設けられること、バックライトユニット２０を固定するフレーム３２の下にプリント回路基板４０が設けられ、プリント回路基板４０の下にプリント回路基板４０を固定するフレーム３３が設けられること、バックライトユニット２０を固定するフレーム３２とプリント回路基板４０との間、プリント回路基板４０を固定するフレーム３３とのプリント回路基板４０との間には、絶縁シート４５が敷設されることがみてとれる。
　
（２）同じく、特開平１−２２９２８３号公報（以下「引用例２」という。）には、以下の記載がある。
　
　ア　「７は液晶パネル２の有効表示面に背面より光を照射する光源手段としての光源装置（バックライト）であり、この光源装置７は蛍光ランプ７ａと、この蛍光ランプ７ａの発する光を拡散させる拡散板７ａ（審決注、「７ｂ」の誤記と認められる。）と、この拡散された光を透過させる光ガイド７ｃとを有している。本実施例においては、光源装置７はフレーム部材１の平面部１ａの爪状部１ｃを有さない側に備えられる。
・・・
　そして、本実施例においては、上記した各構成は、第１図に示すよう組み立てられている。即ち、本実施例ではフレーム部材１の爪状部分１ｃ側（図中上側）を液晶表示装置の前面とする。このため、フレーム部材１の平面部１ａと爪状部分Ｉｃとの間には、液晶パネル２、インタコネクタ４ａ、４ｂ、及び駆動回路基板３か液晶パネル２が平面部１ａ側に位置するように重ねて配置され、これらを平面部１ａと爪状部分１ｃとで挟圧保持している。・・・
　一方、本実施例の光源装置７はフレーム部材１の平面部１ａの爪状部分１ｃを有さない側に備えられる。そして、第１図に示されるように、フレーム部材１の平面部１ａと光源装置７との間にはシリコンゴムよりなるパッキン等の薄型の密着部材８を介在させて、光源装置７とフレーム部材１の平面部１ａとの間に隙間ができないように形成している。尚、密着部材８と光源装置７、及びフレーム部材１との接合は、例えば両面接着テープ等により行う。
・・・
　また、フレーム部材１の平面部１ａと光源装置７の前面との間には隙間ができないように形成したので、平面部１ａと光源装置７の間の空間にごみ等の異物が進入することを完全に防止でき、従来問題であった異物進入による輝度むらをなくすることができる。」（４頁左上欄６行〜右下欄１７行）
　
　イ　第１図から、光源装置７の拡散板７ｂ上に設置された光ガイド７ｃの左右両端部は、フレーム部材１の下部に位置する様子がみてとれる。
　
（３）原査定において周知例として引用した、本願優先日前に頒布された刊行物である特開平９−３１８９５２号公報には、以下の記載がある。
　
　ア　「・・・１ａ、１ｂはシリコンゴム等の弾性体からなるリング状のスペーサ、・・・」（【００１９】）
　
　イ　「このように液晶表示素子６２の上下にリング状スペーサ１ａ、１ｂを設けることにより、シールドケース４１と液晶表示素子６２、および液晶表示素子６２と枠状体４２とがリング状スペーサ１ａ、１ｂにより密着するため、液晶表示モジュール６３内部への異物の侵入が防止できる。その結果、異物の侵入による表示品質の低下を防止できる。」（【００２４】）
　
　ウ　図１から、リング状スペーサ１ａ、１ｂは、四角形の帯状であることがみてとれる。
　
（４）同じく特開平７−３３３６０７号公報には、以下の記載がある。
　
　ア　「また、液晶表示パネル１の上面側には、図２に示したゴム等からなる弾性を有する帯状体８ａ…で枠状に形成された弾性枠８が貼着され、この弾性枠８の上面に液晶表示パネル１を保持する保持枠９が配設されている。尚、上記帯状体８ａには、シリコンゴムシートの切り出し品、又はシリコンゴムの成形品が用いられている。」（【００２５】）
　
　イ　図２から、帯状体８ａ…は、四角形をなすことがみてとれる。
　
３　引用発明
　上記２（１）によれば、引用例１には、次の発明が記載されているものと認められる。
　
「液晶表示パネル１０と、その背面に設けられたバックライトユニット２０と、前記バックライトユニット２０を固定するフレーム３２と、前記フレーム３２の下にプリント回路基板４０が設けられ、プリント回路基板４０は、その下に設けられたフレーム３３に固定された液晶表示装置であって、前記バックライトユニット２０の導光板２２の表面側に拡散板２３が設けられ、背面側に反射板２４が設けられ、バックライトユニット２０を固定するフレーム３２とプリント回路基板４０との間、及び、プリント回路基板４０を固定するフレーム３３とのプリント回路基板４０との間には、絶縁シート４５が敷設された液晶表示装置。」（以下「引用発明」という。）
　
４　対比 
　本願発明と引用発明とを対比する。
 　 
（１）引用発明の「液晶表示パネル１０」、「プリント回路基板４０」及び「液晶表示装置」は、それぞれ、本願発明の「液晶パネル」、「印刷回路ボード」及び「液晶表示装置」に相当する。
 　 
（２）引用発明の「バックライトユニット２０」は、液晶表示パネルの背面に設けられたものであるから、本願発明の「液晶パネルに光を照射するバックライトアッセンブリ」に相当する。
 　 
（３）引用発明の「拡散板２３」は、本願発明の「光学シート」に相当し、両者は、「バックライトアッセンブリの導光板上に設置され」る点で一致する。
　
（４）引用発明の「バックライトユニット２０を固定するフレーム３２」及び「プリント回路基板４０を固定するフレーム３３」は、本願発明の「メインフレーム」及び「ボトムケース」に相当する。
　
（５）以上によれば、両者は、
「液晶パネルと、
　前記液晶パネルに光を照射するバックライトアッセンブリと、
　前記バックライトアッセンブリの導光板上に設置される光学シートと、
　前記バックライトアッセンブリが固定されるメインフレームと、
　前記メインフレームの下に設置される印刷回路ボードと、
　ボトムケースと、
　を具備する液晶表示装置。」
　である点で一致し、以下の（ア）及び（イ）の点で相違するものと認められる。
　
　ア　本願発明は、バックライトアッセンブリと液晶パネルの間に設置されて液晶パネルを下で支持するためのパネルガイドと、前記パネルガイドとバックライトアッセンブリの間に設置されて前記パネルガイドとバックライトアッセンブリの間の間隔を維持させることと共に前記液晶パネルの側に流入される熱と異物を遮断するための間隔維持／熱遮断部材と、を具備し、光学シートの一部が前記パネルガイドの下部に位置するのに対して、引用発明は、液晶パネルを支持するための構成が不明であって、光学シートの一部が前記パネルガイドの下部に位置するかどうかも不明であり、また、液晶パネルの側に流入される熱と異物を遮断するための間隔維持／熱遮断部材を有しない点（以下「相違点１」という。）。
　
　イ　本願発明は、メインフレームと印刷回路ボードの間に設置され、四角形の帯状で液晶パネル部分を囲む構造を有する第２シリコンパッドと、前記印刷回路ボードとボトムケースの間に設置され、四角形の帯状で前記液晶パネル部分を囲む構造を有する第３シリコンパッドと、を具備するのに対して、引用発明は、メインフレームと印刷回路ボードの間、及び前記印刷回路ボードとボトムケースの間に絶縁シートが敷設されたものである点（以下「相違点２」という。）。
　
５　判断 
（１）相違点１について
　ア　引用発明においては、液晶パネルを支持するための構成が不明であるが、液晶パネルを支持するための構成が必要であることは当業者にとって自明であり、液晶パネルを下で支持することに格別の困難があるものとも認められないから、バックライトアッセンブリと液晶パネルの間に液晶パネルを下で支持するためのパネルガイドを設置することは、当業者が当然考慮する程度のことであり、この際、光学シートの一部が前記パネルガイドの下部に位置することも、十分想定されるところである（例えば、引用例２の第１図に、光源装置７の拡散板７ｂ上に設置された光ガイド７ｃの左右両端部が、液晶パネル２を保持するフレーム部材１の下部に位置する様子が示されるとおりである。前記２（２）イを参照。）。
　
　イ　しかるところ、前記２（２）アによれば、引用例２には、液晶パネル２を保持するフレーム部材１と光源装置７との間に、シリコンゴムよりなるパッキン等の薄型の密着部材８を介在させて、光源装置７とフレーム部材１との間に隙間ができないようにして、平面部１ａと光源装置７の間の空間にごみ等の異物が進入することを防止する技術が記載されているものと認められる。
　
　ウ　してみれば、引用発明においても、バックライトアッセンブリと液晶パネルの間に液晶パネルを下で支持するためのパネルガイドを設置する際、パネルガイドとバックライトアッセンブリの間の空間にごみ等の異物が進入することを防止するために、パネルガイドとバックライトアッセンブリの間にシリコンゴムよりなるパッキンを介在させることは、引用例２記載の技術に基づいて、当業者が容易になし得る程度のことである。
　
　エ　他方、本願発明の「前記パネルガイドとバックライトアッセンブリの間の間隔を維持させることと共に前記液晶パネルの側に流入される熱と異物を遮断するための間隔維持／熱遮断部材」について、本願明細書には、次の記載が認められる。
　
「第１シリコンパッド（５４）は弾性のあるシリコンを主材料として製作されて、導光板（３６）とパネルガイド（４２）の間に設置されてパネルガイド（４２）を下から支持する。この第１シリコンパッド（５４）は光学シート（３４）とパネルガイド（４２）の間のギャップを一定に維持する。また、第１シリコンパッド（５４）はランプ（５０）から発生して液晶パネル（３２）と光学シート（３４）側に流入する熱と異物を遮断する役割を有する。」（【０００９】）
　
　オ　上記エによれば、本願発明の「前記パネルガイドとバックライトアッセンブリの間の間隔を維持させることと共に前記液晶パネルの側に流入される熱と異物を遮断するための間隔維持／熱遮断部材」は、具体的には、シリコンパッドであるものと認められるところ、上記ウの「シリコンパッキン」は、上記シリコンパッドと格別変わるところはないものと認められるから、上記ウのとおり、引用発明において、パネルガイドとバックライトアッセンブリの間の空間にごみ等の異物が進入することを防止するために、パネルガイドとバックライトアッセンブリの間にシリコンゴムよりなるパッキンを介在させることにより、本願発明の「前記パネルガイドとバックライトアッセンブリの間の間隔を維持させることと共に前記液晶パネルの側に流入される熱と異物を遮断するための間隔維持／熱遮断部材」との構成を得ることができるものと認められる。
　
　カ　以上によれば、引用発明において、相違点１に係る本願発明の構成とすることは、引用例２記載の技術に基づいて当業者が容易になし得る程度のことというべきである。
　
（２）相違点２について
　ア　前記２（１）イによれば、引用例１には、実装部品の端子とフレームとの間隔が確保され、且つ回路パターンとフレームとが電気的に接触しないようであれば、引用発明において、絶縁シート４５が省略可能であることが記載されているものと認められ、原査定の拒絶の理由に引用した、本願優先日前に頒布された刊行物である特開平１１−１７４４１７号公報の図２には、四角形の断面で示される部材によって、バックライト４０と回路基板４４と筐体１４の底面とが間隔をあけて設けられる様子が示されているところである。
　
　イ　そして、前記２（２）ア及び（３）イによれば、液晶表示装置内部の空間に異物が侵入すると問題となることは、本願優先日当時周知であったものと認められ、また、回路部分に異物が混入しないようにすることも、当業者に当然要請されることというべきであるから、引用発明における、メインフレームと印刷回路ボードの間、印刷回路ボードとボトムケースの間についても、異物の侵入を防止しようとすることは、当業者が当然考慮する程度のことである。
　
　ウ　しかるところ、前記２（３）及び（４）によれば、液晶表示装置において、液晶パネル、バックライト及びこれらを収容するケースなどの間に介在させるスペーサないし弾性体をシリコンゴムからなる四角形の帯状のものとすることは、本願優先日当時周知の技術であると認められる。また、かかる四角形の帯状のシリコンゴムを用いることにより、四角形内部の空間への異物の混入が防止できることも容易に理解できるところである（前記２（３）イを参照。）。
　
　エ　してみると、引用発明において、メインフレームと印刷回路ボードの間及び印刷回路ボードとボトムケースの間が電気的に接触しないよう所定の間隔を確保するために、上記ウの周知技術等を適用し、四角形の帯状である第２シリコンパッドをメインフレームと印刷回路ボードの間に設置し、四角形の帯状である第３シリコンパッドを印刷回路ボードとボトムケースの間に設置することは、当業者が容易になし得る程度のことである。また、その際、第２シリコンパッド及び第３シリコンパッドについて、液晶パネル部分を囲む構造とすることは、当業者が設計上適宜なし得る事項にすぎない。
　
　カ　以上によれば、引用発明において、相違点２に係る本願発明の構成とすることは、周知技術に基づいて当業者が容易になし得る程度のことというべきである。
　
（３）まとめ
　以上の検討によれば、本願発明は、引用発明、引用例２記載の技術及び周知技術に基づいて当業者が容易に発明をすることができたものというべきである。
　
６　むすび 
　以上のとおり、本願発明は、引用発明、引用例２記載の技術及び周知技術に基づいて当業者が容易に発明をすることができたものであるから、特許法第２９条第２項の規定により特許を受けることができない。
　よって、結論のとおり審決する。